(57)【要約】【課題】施工が容易であり、断熱性に優れた床面を形成することができるフローリング材を提供する。【解決手段】幅方向一端部に、その外側に向かって突出する凸部１４を備えると共に、幅方向他端部に凸部１４が係合する大きさの凹部１５を備え、凸部１４は、先端側ほどその厚さが薄くなるように形成され、凸部１４の表面が、上面１０ａ又は下面１０ｂからそれぞれ連続する傾斜面１６ａ，１６ｂで構成されるようにする。【選択図】図３
2015132094.tif 000002
【特許請求の範囲】
【請求項１】
下地材上に複数並設することで床面を形成するフローリング材であって、
幅方向一端部に、その外側に向かって突出する凸部を備えると共に、幅方向他端部に前記凸部が係合する大きさの凹部を備え、
前記凸部は、先端側ほどその厚さが薄くなるように形成され、当該凸部の表面は、上面又は下面からそれぞれ連続する傾斜面で構成されていることを特徴とするフローリング材。
【請求項２】
請求項１に記載のフローリング材において、
木目方向が横目方向である第１の桐板の両面に木目方向が縦目方向である第２の桐板を張り合わせた三層クロス張り構造を有することを特徴とするフローリング材。
【請求項３】
請求項２に記載のフローリング材において、
前記第１の桐板の厚さが、前記第２の桐板の厚さよりも厚いことを特徴とするフローリング材。
【発明の詳細な説明】
【技術分野】
【０００１】
本発明は、木造住宅等の床面を形成するフローリング材に関する。
【背景技術】
【０００２】
従来、木造住宅等の床面は、例えば、複数枚のフローリング材を並設することによって形成されている。このフローリング材は、一般的に、雄実と雌実とが設けられており、これら雄実と雌実とを係合させることで、隣接するフローリング材と連結されるようになっている（例えば、特許文献１参照）。
【０００３】
このようなフローリング材は、一般的に、厚さが９ｍｍ〜１２ｍｍ程度と比較的薄く形成されている。このため、フローリング材によって床下からの冷気を十分に遮断することが難しかった。そこで、フローリング材の下側に断熱材等を設けることで床下からの冷気を遮断していた。
【０００４】
またフローリング材は、一般的に、９０ｍｍ〜１２０ｍｍ程度の比較的狭い幅に形成されている。フローリング材が比較的狭い幅で形成される理由の一つとして、反りの発生が挙げられる。すなわち、フローリング材の幅を比較的広くした場合、大気中の水分等に起因した反りが発生し易くなる。このようなフローリング材の反りは、水分が集まった部分が膨張することによって生じる。特に、フローリング材の下端側には水分が集まり易く、結果として、フローリング材には室内側を凹とする変形が生じ易い。
【先行技術文献】
【特許文献】
【０００５】
【特許文献１】特開平０５−３３１９９４号公報
【発明の概要】
【発明が解決しようとする課題】
【０００６】
上述のように、フローリング材は、一般的に、比較的薄く且つ狭い幅で形成されている。このため、断熱性を備えた床面を形成する際には、断熱材等の下地が必要となり、また多くの枚数のフローリング材が必要となる。したがって、床面の施工期間が長くなってしまい、コストが増加するという問題がある。
【０００７】
本発明は、このような事情に鑑みてなされたものであり、施工が容易であり、断熱性に優れた床面を形成することができるフローリング材を提供することを目的とする。
【課題を解決するための手段】
【０００８】
上記課題を解決する本発明の第１の態様は、下地材上に複数並設することで床面を形成するフローリング材であって、幅方向一端部に、その外側に向かって突出する凸部を備えると共に、幅方向他端部に前記凸部が係合する大きさの凹部を備え、前記凸部は、先端側ほどその厚さが薄くなるように形成され、当該凸部の表面は、上面又は下面からそれぞれ連続する傾斜面で構成されていることを特徴とするフローリング材にある。
【０００９】
本発明の第２の態様は、第１の態様のフローリング材において、木目方向が横目方向である第１の桐板の両面に木目方向が縦目方向である第２の桐板を張り合わせた三層クロス張り構造を有することを特徴とするフローリング材にある。
【００１０】
本発明の第３の態様は、第２の態様のフローリング材において、前記第１の桐板の厚さが、前記第２の桐板の厚さよりも厚いことを特徴とするフローリング材にある。
【発明の効果】
【００１１】
かかる本発明のフローリング材によれば、床面の施工期間を大幅に短縮することができ、断熱性に優れた床面を形成することができる。
【図面の簡単な説明】
【００１２】
【図１】本発明の一実施形態に係るフローリング材を用いて形成した床面を示す斜視図である。
【図２】本発明の一実施形態に係るフローリング材を用いて形成した床面を示す断面図である。
【図３】本発明の一実施形態に係るフローリング材を示す断面図である。
【図４】本発明の一実施形態に係る床面の施工手順を示す図である。
【発明を実施するための形態】
【００１３】
以下、本発明の実施形態について、図面を参照して詳細に説明する。
【００１４】
図１〜図３に示すように、フローリング材１０は、下地材１００上に複数枚並設されて床面（フローリング床）１を形成する。本実施形態に係るフローリング材１０は、木目方向が横目方向である第１の桐板１１の両面に木目方向が縦目方向（厚さ方向）である第２の桐板１２，１３を張り合わせた三層クロス張り構造を有する。
【００１５】
これら第１の桐板１１及び第２の桐板１２，１３の厚さは、特に限定されないが、第１の桐板１１の厚さは、第２の桐板１２，１３の厚さよりも厚いことが好ましい。例えば、本実施形態では、第１の桐板１１の厚さを１７ｍｍとし、第２の桐板１２，１３の厚さをそれぞれ９ｍｍとし、フローリング材１０の全体の厚さを３５ｍｍとしている。またフローリング材１０の幅も特に限定されないが、本実施形態では、上面１０ａの幅Ｗ１が約４００ｍｍとなるように形成されている。
【００１６】
このようなフローリング材１０の幅方向（短手方向）一端部には、幅方向外側に向かって突出する突出する凸部１４が形成されている。一方、フローリング材１０の幅方向他端部には、凸部１４が係合可能な大きさの凹部１５が形成されている。すなわち、床面１を構成する各フローリング材１０は、凸部１４が隣接するフローリング材１０の凹部１５に係合させた状態で固定されている。
【００１７】
ここで、各フローリング材１０の凸部１４は、フローリング材１０の長手方向に亘って連続的に設けられている。またフローリング材１０の厚さ方向においては、凸部１４は、その先端１４ａに向かって厚さが徐々に薄くなっている。そして凸部１４の表面は、フローリング材１０の上面１０ａから連続する傾斜面１６ａと、下面１０ｂから連続する傾斜面１６ｂとで形成されている。つまり、凸部１４の表面を形成する傾斜面１６ａは、フローリング材１０の上面１０ａに対して所定角度θ１で傾斜し、傾斜面１６ｂは、フローリング材１０の下面１０ｂに対して所定角度θ２で傾斜している。
【００１８】
一方、凹部１５は、このような山型の凸部１４が係合するように、略Ｖ溝状に形成されている。すなわち凹部１５の内面は、フローリング材１０の上面１０ａに対して所定角度θ１で傾斜する傾斜面１７ａと、フローリング材１０の下面１０ｂに対して所定角度θ２で傾斜する傾斜面１７ｂと、で形成されている。
【００１９】
なお、本実施形態では、傾斜面１６ａの傾斜角度θ１と、傾斜面１６ｂの傾斜角度θ２とが一致するようにしているが、これら傾斜角度θ１，θ２は、必ずしも一致している必要はない。
【００２０】
このようなフローリング材１０を用いて木造住宅等の床面１を形成することで、木造住宅等における床面１の施工期間を大幅に短縮することができる。例えば、上述のようにフローリング材１０は、従来のフローリング材に比べて幅が広く形成されているため、使用枚数が少なくなる。さらにフローリング材１０は、桐板で構成され且つそれ自体が比較的厚く形成されているため、断熱性に優れる。したがって、フローリング材１０を使用することで、断熱材の設置が不要となる。このように使用する部材の点数が大幅に減少するため、比較的短い施工期間で木造住宅等の床面１を形成することができる。
【００２１】
また床面１は、例えば、図４に示すように、幅方向端部に上面１０ａから連続する傾斜面１６ａ及び下面１０ｂから連続する傾斜面１６ｂとで構成される各フローリング材１０の凸部１４を、隣接するフローリング材１０の凹部１５に係合させ、この状態で各フローリング材１０を固定することで形成されている。上述のような山型の凸部１４は、凹部１５に対して比較的容易に係合させることができるため、床面１の施工が容易となる。さらには、このように凸部１４を凹部１５に係合させることで、各フローリング材１０の隙間を少なく抑えることもできる。
【００２２】
また、各フローリング材１０の凹部１５側の下端部には、フローリング材１０の一部を切り欠いた切欠き部１８が形成されている。すなわち、フローリング材１０を並設して床面１を形成した際、各フローリング材１０の間には、この切欠き部１８によって所定の大きさの空間部１９が画成されている。
【００２３】
このようにフローリング材１０に切欠き部１８が形成されていることで、すなわち床面１を構成する各フローリング材１０の間に空間部１９が画成されていることで、フローリング材１０の反りの発生を抑制することができる。ひいては、床面（フローリング床）１全体の反りの発生を抑制することができる。
【００２４】
さらに本実施形態では、上述のように第１の桐板１１の厚さが、第２の桐板１２，１３の厚さよりも厚くなっている。これにより、各フローリング材１０の反りをより効果的に抑制することができる。
【００２５】
以上、本発明の実施形態について説明したが、本発明は、上述の実施形態に限定されるものではなく、発明の趣旨を逸脱しない範囲で、適宜変更が可能なものである。
【００２６】
例えば、上述の実施形態では、フローリング材１０の材料として桐材を例示したが、フローリング材１０の材料は、特に限定されるものではない。
【符号の説明】
【００２７】
１  床面
１０  フローリング材
１０ａ  上面
１０ｂ  下面
１１  第１の桐板
１２  第２の桐板
１４  凸部
１４ａ  先端
１５  凹部
１６ａ，１６ｂ  傾斜面
１７ａ，１７ｂ  傾斜面
１８  切欠き部
１９  空間部
１００  下地材
【図１】
2015132094.tif 000003
【図２】
2015132094.tif 000004
【図３】
2015132094.tif 000005
【図４】
2015132094.tif 000006